(57)【要約】【課題】キャンペーンやイベントごとに使い捨てることができ、しかも陳列面を四角形、略円形、略部分円形とさまざまな形に変化させることのできる、優れた物品陳列台を提供する。【解決手段】複数の、同一角柱形状のブロック体１０からなり、各ブロック体１０の平面形状が、頂角１０〜４５°の二等辺三角形であり、これらのブロック体１０を、それぞれの頂角部を同じ向きに揃え、二等辺部の側面を互いに当接させた状態で並べることにより、陳列面が略円形状もしくは部分円形状の物品陳列台になり、それぞれの頂角部を互い違いの向きにして、二等辺部の側面を互いに当接させた状態で並べることにより、陳列面が台形状もしくは平行四辺形状の物品陳列台になるよう構成されている。【選択図】図１
2014104038.tif 000002
【特許請求の範囲】
【請求項１】
段ボールもしくは厚紙によって構成される同一角柱形状のブロック体を複数個組み合わせてなる物品陳列台であって、各ブロック体の平面形状が、頂角１０〜４５°の二等辺三角形であり、これらのブロック体を、それぞれの頂角部を同じ向きに揃え、二等辺部の側面を互いに当接させた状態で並べることにより、陳列面が略円形状もしくは部分円形状の物品陳列台になり、それぞれの頂角部を互い違いの向きにして、二等辺部の側面を互いに当接させた状態で並べることにより、陳列面が台形状もしくは平行四辺形状の物品陳列台になることを特徴とする物品陳列台。
【請求項２】
上記各ブロック体において、その平面形状である二等辺三角形の高さが、１０〜１００ｃｍに設定されており、ブロック体自体の高さが５〜５０ｃｍに設定されている請求項１記載の物品陳列台。
【請求項３】
段ボールもしくは厚紙によって構成される同一角柱形状のブロック体を複数個組み合わせてなる物品陳列台であって、各ブロック体の平面視形状が、頂角１０〜４５°の二等辺三角形の頂角部を、底辺と平行な直線で切り取った等脚台形であり、これらのブロック体を、それぞれの上辺部を同じ向きに揃え、等脚部の側面を互いに当接させた状態で並べることにより、陳列面が略リング形状もしくは部分リング形状の物品陳列台になり、それぞれの上辺部を互い違いの向きにして、等脚部の側面を互いに当接させた状態で並べることにより、陳列面が台形状もしくは平行四辺形状の物品陳列台になることを特徴とする物品陳列台。
【請求項４】
上記各ブロック体において、その平面形状である等脚台形の高さが、１０〜１００ｃｍに設定されており、ブロック体自体の高さが５〜５０ｃｍに設定されている請求項３記載の物品陳列台。
【請求項５】
上記各ブロック体の上面と下面とが同一の色で着色されており、ブロック体全体のうち、略半数のブロック体の上面および下面の色と、他の略半数のブロック体の上面および下面の色とが、互いに異なっている請求項１〜４のいずれか一項に記載の物品陳列台。
【発明の詳細な説明】
【技術分野】
【０００１】
本発明は、同一形状のブロック体を組み合わせることによって構成される物品陳列台に関するものである。
【背景技術】
【０００２】
近年、商品の販売は、店員が顧客に注文や要望を聞きながら販売する対面方式から、陳列棚や陳列台に並ぶ商品を顧客自身が手にとってレジで購入するセルフ方式が主流となってきている。このようなセルフ方式の店舗では、店員が顧客に商品説明を行う機会が少ないため、特定のキャンペーンやイベントにかかる商品を、商品を陳列する棚とは別に設けた陳列台に、印象的な表示や装飾を施したパネルやＰＯＰとともに印象的に配置して、顧客の目を引くことが行われている。
【０００３】
このような物品陳列台は、通常、陳列対象となる商品の大きさやイメージに合わせて、キャンペーンやイベントの都度、メーカーが、専用の陳列台を用意することが多い。しかし、期間限定のキャンペーン等において、その都度、プラスチック成形体やスチール組み立て体からなる陳列台を用意することはコストがかかり、また省資源の点からも好ましくない。また、キャンペーンやイベントのために空けることのできるスペースが限られている場合や、本来、丸テーブルで陳列したいところ細長いスペースしかない場合等があり、どの店舗においても規格化された専用の陳列台を設置できるわけではない。
【０００４】
そこで、商品に適した陳列面をその都度自由に組み合わせてつくることのできる、組み立て式の陳列台がいくつか提案されている。例えば、下記の特許文献１には、正方形ブロックと長方形ブロックとを組み合わせた商品陳列装置等が記載されている。
【先行技術文献】
【特許文献】
【０００５】
【特許文献１】特開２００７−１２５２６８号公報
【発明の概要】
【発明が解決しようとする課題】
【０００６】
この商品陳列装置は、図１１（ａ）に示すように、正方形ブロック１と、その半分の長方形ブロック２とからなり、コーナー用のブロック１ａ、２ａと、直線用のブロック１ｂ、２ｂとを組み合わせて、陳列台部を形成することができるようになっている。そして、図１１（ｂ）に示すように、これらのブロック１ａ、１ｂ、２ａ、２ｂからなる陳列台部を積み重ねることにより、複数段の陳列面を備えた陳列台をつくることができる。
【０００７】
しかしながら、上記商品陳列装置では、陳列の規模を大きくしたり小さくしたりすることはできるものの、矩形の陳列台は矩形のままであり、これを円形にしたり波打つように配置したりして、陳列スペースや商品イメージに合わせて臨機応変に変化させることができない。また、このものは、繰り返し使用することを前提としているため、保管に場所をとるという問題も有している。
【０００８】
本発明は、このような事情に鑑みてなされたもので、キャンペーンやイベントごとに使い捨てることができ、しかも陳列面を四角形、略円形、略部分円形とさまざまな形に変化させることのできる、優れた物品陳列台の提供を、その目的とする。
【課題を解決するための手段】
【０００９】
上記の目的を達成するため、本発明は、段ボールもしくは厚紙によって構成される同一角柱形状のブロック体を複数個組み合わせてなる物品陳列台であって、各ブロック体の平面形状が、頂角１０〜４５°の二等辺三角形であり、これらのブロック体を、それぞれの頂角部を同じ向きに揃え、二等辺部の側面を互いに当接させた状態で並べることにより、陳列面が略円形状もしくは部分円形状の物品陳列台になり、それぞれの頂角部を互い違いの向きにして、二等辺部の側面を互いに当接させた状態で並べることにより、陳列面が台形状もしくは平行四辺形状の物品陳列台になる物品陳列台を第１の要旨とする。
【００１０】
また、本発明は、そのなかでも、特に、上記各ブロック体において、その平面形状である二等辺三角形の高さが、１０〜１００ｃｍに設定されており、ブロック体自体の高さが５〜５０ｃｍに設定されている物品陳列台を第２の要旨とする。
【００１１】
そして、本発明は、段ボールもしくは厚紙によって構成される同一角柱形状のブロック体を複数個組み合わせてなる物品陳列台であって、各ブロック体の平面視形状が、頂角１０〜４５°の二等辺三角形の頂角部を、底辺と平行な直線で切り取った等脚台形であり、これらのブロック体を、それぞれの上辺部を同じ向きに揃え、等脚部の側面を互いに当接させた状態で並べることにより、陳列面が略リング形状もしくは部分リング形状の物品陳列台になり、それぞれの上辺部を互い違いの向きにして、等脚部の側面を互いに当接させた状態で並べることにより、陳列面が台形状もしくは平行四辺形状の物品陳列台になる物品陳列台を第３の要旨とする。
【００１２】
さらに、本発明は、そのなかでも、特に、上記各ブロック体において、その平面形状である等脚台形の高さが、１０〜１００ｃｍに設定されており、ブロック体自体の高さが５〜５０ｃｍに設定されている物品陳列台を第４の要旨とする。
【００１３】
また、本発明は、それらのなかでも、特に、上記各ブロック体の上面と下面とが同一の色で着色されており、ブロック体全体のうち、略半数のブロック体の上面および下面の色と、他の略半数のブロック体の上面および下面の色とが、互いに異なっている物品陳列台を第５の要旨とする。
【発明の効果】
【００１４】
すなわち、本発明の物品陳列台は、段ボールもしくは厚紙によって構成される同一角柱形状のブロック体を複数個組み合わせたものであり、第１の要旨である物品陳列台は、その各ブロック体が、平面形状が幅の細い二等辺三角形になっているため、これらの互いの頂角部を揃えて並べることにより、陳列面が略円形状もしくは部分円形状の物品陳列台をつくることができる。また、これらの互いの頂角部を互い違いの向きにして並べることにより、陳列面が台形状もしくは平行四辺形状の物品陳列台をつくることができる。さらには、これらを組み合わせることによって、部分円が互い違いに波打った形や、部分円と四角形とが組み合わせられた形等、複雑な形の陳列面を有する物品陳列台をつくることができる。
【００１５】
したがって、キャンペーンやイベントに合わせて、期間限定で、自由自在に物品陳列台をつくることができ、期間終了後は、資源ゴミとして処分したり焼却処分したりすることができる。そして、組み合わせ方によって、様々な形の陳列面にすることができるため、陳列スペースが限られていても、効果的な陳列を行うことができる。特に、円形もしくは部分円形に近い陳列面にしたり、台形や平行四辺形の陳列面にしたりすることができるため、商品イメージにあった陳列形態を選択して、顧客への訴求効果の高い陳列構成をデザインすることができる。
【００１６】
また、本発明の第２の要旨である物品陳列台は、その各ブロック体が、平面視形状が幅の狭い等脚台形になっているため、これらの互いの上辺部を揃えて並べることにより、陳列面が略リング形状もしくは部分リング形状の物品陳列台をつくることができる。また、これらの互いの上辺部を互い違いの向きにして並べることにより、陳列面が台形状もしくは平行四辺形状の物品陳列台をつくることができる。さらには、これらを組み合わせることによって、部分リング形状が互い違いに波打った形や、部分リング形状と四角形とが組み合わせられた形等、複雑な形の陳列面を有する物品陳列台をつくることができる。
【００１７】
したがって、この物品陳列台も、第１の要旨である物品陳列台と同様の効果を奏する。しかも、陳列面がリング形状もしくは部分リング形状となるため、リングの輪の内側となる空間部に、実際の商品を大きく拡大した商品模型や意図的にデフォルメした模型、あるいは人目を引くキャラクターのぬいぐるみを置く等して、より印象的な陳列構成をデザインすることができる。
【００１８】
しかも、これらの物品陳列台は、段ボールや厚紙で構成されているため、軽くて取り扱いやすいだけでなく、低コストでつくることができ、また環境に負荷をかけることなく焼却処分することができる。
【００１９】
なお、本発明のなかでも、特に、上記ブロック体の平面形状である二等辺三角形の高さが、１０〜１００ｃｍに設定され、ブロック体自体の高さが５〜５０ｃｍに設定されているものは、取り扱いやすく、組み立て作業性がよいだけでなく、その陳列面に安定して商品等を陳列することができる。
【００２０】
また、本発明のなかでも、特に、各ブロック体の上面と下面とを同一色で着色したものは、上下どちらでも上にすることができ、組み立て作業か容易である。しかも、ブロック体を２つに分けて、一方の群のブロック体の上面、下面の色と、他方の群のブロック体の上面、下面の色とを、互いに異なる色にすると、色の異なるブロック体を互い違いに並べたり、例えば赤、赤、黄、赤、赤、黄といったように規則的に並べることにより、より印象的な陳列構成をデザインすることができる。
【図面の簡単な説明】
【００２１】
【図１】本発明に用いられるブロック体の一例を示す外観斜視図である。
【図２】（ａ）は上記ブロック体の構成の一例を示す説明図、（ｂ）は上記ブロック体の構成の他の例を示す説明図である。
【図３】上記ブロック体を用いた物品陳列台の一例を示す平面図である。
【図４】（ａ）は上記物品陳列台と広告パネルとを組み合わせた状態を示す斜視図、（ｂ）は上記物品陳列台にカバーを被せて商品を陳列した状態を示す斜視図である。
【図５】（ａ）、（ｂ）はともに上記物品陳列台の変形例を示す平面図である。
【図６】ブロック体の配置を変えた物品陳列台と広告パネルとを組み合わせた状態を示す斜視図である。
【図７】上記物品陳列台の他の変形例を示す平面図である。
【図８】本発明に用いられるブロック体の他の例を示す外観斜視図である。
【図９】上記ブロック体を用いた物品陳列台の一例を示す平面図である。
【図１０】（ａ）、（ｂ）はともに上記物品陳列台の変形例を示す斜視図である。
【図１１】（ａ）、（ｂ）はともに従来の商品陳列装置の一例を示す説明図である。
【発明を実施するための形態】
【００２２】
つぎに、本発明の実施の形態を、図面にもとづいて詳しく説明する。
【００２３】
図１は、本発明の物品陳列台の一実施の形態に用いられるブロック体１０を示している。すなわち、このブロック体１０は、全体が三角柱形状で、その平面形状が細長い二等辺三角形になっている。そして、上記ブロック体１０を多数組み合わせることにより、目的とする物品陳列台が構成されるようになっている（図ではブロック体１０を３個だけ示す）。
【００２４】
上記ブロック体１０をより詳しく説明すると、ブロック体１０は、段ボールもしくは厚紙を用いて形成されており、例えば、図２（ａ）に示すような３種類のパーツによって構成されている。
【００２５】
１１はブロック体１０の二等辺部の側面を構成する側面パーツで、左右２枚用意される。また、１２は平面パーツで、上面用と下面用の２枚用意される。さらに、１３は端面パーツで１枚用意される。そして、これらを、図示ののりしろ部（斜線で示す）１５を利用して、互いに貼り合わせることにより、目的とするブロック体１０を得ることができる。ただし、のりしろ部１５の形状や配置は、この例に限らず、必要な強度と作業性を考慮して、適宜決めることができる。
【００２６】
また、上記３種類のパーツ１１、１２、１３を貼り合わせるのではなく、例えば図２（ｂ）に示すように、各パーツ１１、１２、１３を一続きの一枚にして、各面を折り立てて最小限の貼り合わせにすることもできる。なお、全体の展開形状は、この例に限らず、ブロック体１０の形状をつくることができれば、どのような形状になっていても差し支えない。
【００２７】
そして、上記ブロック体１０の材料として用いられる段ボールや厚紙の厚みや固さは、このブロック体１０によって構成される物品陳列台の大きさや陳列面（組み合わせられたブロック体１０の上面）に載置する商品やディスプレイのための各種物品の重さに応じて、それに耐えられるものが適宜選択される。
【００２８】
このようにして得られるブロック体１０において、その平面形状である二等辺三角形は、その頂角θ（図１参照）が、１０〜４５°に設定されていなければならない。すなわち、頂角θの角度が小さすぎると、ブロック体１０が細くなって安定的に立ちにくく、また、その頂角部が尖りすぎて、簡単に折れたり凹んだりするという不具合がある。しかも、ある程度の広さを有する陳列面を得るのに多くのブロック体１０を組み合わせる必要があり、煩雑な手間を要するため、実用的でない。一方、頂角θの角度が大きすぎると、陳列面を円形や部分円に近い形に作ろうとしても、角張って角が目立つ形になるため、このブロック体１０を組み合わせるメリットに乏しいものとなる。ちなみに、この例では、頂角θの角度は２０°に設定されている。
【００２９】
また、上記ブロック体１０の大きさは、その平面形状である二等辺三角形の高さ（図１においてＨで示す）が１０〜１００ｃｍであることが望ましい。すなわち、上記Ｈが小さすぎると、陳列面が小さくなりすぎて商品を目立たせる陳列ができにくく、逆にＨが大きすぎると、ブロック体１０を取り扱いにくく、組み立て作業性が悪くなるおそれがあるからである。この例では、上記Ｈは３０ｃｍに設定されている。
【００３０】
さらに、上記ブロック体１０自体の高さ（図１においてＤで示す）は、５〜５０ｃｍであることが望ましい。すなわち、上記Ｄが小さすぎると、物品陳列台全体の高さが低く、商品を目立たせる陳列ができにくく、逆にＤが大きすぎると、ブロック体１０を取り扱いにくく、組み立て作業性が悪くなるおそれがあるからである。この例では、上記Ｄは１５ｃｍに設定されている。
【００３１】
上記ブロック体１０を、例えば９個用い、図３に示すように、それぞれの頂角部を同じ向きに揃え、左右の二等辺部の側面を互いに当接させた状態で並べることによって、その陳列面が略半円形状の物品陳列台をつくることができる。この物品陳列台は、端面が略円弧状にカーブしているため、角張った陳列棚や陳列台が多く配置された店内において、優しい印象を与えることができる。そして、ボリュームのある商品や非売品である販促物等を中央に配し、周囲に一回り小さな商品等を配置することによってめりはりのある陳列を行うことができる。
【００３２】
また、図４（ａ）に示すように、この物品陳列台の後ろに、商品の説明やキャンペーンのキャッチフレーズを表示した広告パネル２０を立てて取り付けることにより、より一層アイキャッチ効果を高めることができる。
【００３３】
さらに、この物品陳列台の陳列面に直接商品等を陳列するのではなく、図４（ｂ）に示すように、この物品陳列台に柔軟なカバー２１を被せ、その上に商品等を陳列するようにしてもよい。カバー２１の材質や色によって、商品イメージに適した見せ方を演出することができるだけでなく、物品陳列台の角部が隠されるため、陳列面が本当に半円形状であるかのような印象を与えることができる。
【００３４】
なお、陳列スペースに余裕がある場合は、例えば、上記ブロック体１０を１８個組み合わせて、陳列面が略円形状の物品陳列台をつくることができる。また、図３に示すように、陳列面が略半円形状になるようブロック体１０を並べた物品陳列台を、図５（ａ）に示すように互い違いに並べることにより、前後に円弧状に突出した陳列面を有する物品陳列台をつくることができる。さらに、図５（ｂ）に示すように、陳列面が略部分円状（扇状）になるようにブロック体１０を並べた物品陳列台を、互い違いに並べることにより、コーナースペースに適した物品陳列台をつくることができる。
【００３５】
逆に、陳列スペースに余裕がない場合は、上記ブロック体１０を、４個とか５個といった少ない数で組み合わせて、陳列面が略部分円状の、幅の狭い物品陳列台をつくることが好適である。
【００３６】
また、上記ブロック体１０を、例えば、図３や図４に示す場合と同じく９個用い、それぞれの頂角部を互い違いの向きにして、二等辺部の側面を互いに当接させた状態で並べることによって、図６に示すように、その陳列面が台形状の物品陳列台をつくることができる。なお、上記ブロック体１０を偶数個並べると、陳列面が台形ではなく、平行四辺形の物品陳列台をつくることができる。
【００３７】
このように、陳列面を四角形にすると、陳列面が略半円状や略部分円状のものに比べてシャープな印象を与えることができる。そして、陳列面が長方形や正方形の陳列棚や陳列台が主流である店内において、台形や平行四辺形という、斜めに角度のついた陳列面が人目を引き、強い印象を与えることができる。また、細長い商品や非売品である販促物等を左右方向にそのまま延ばしておいたり、前後の幅を利用して奥行きのある陳列を行うことができる。
【００３８】
もちろん、この場合も、図４に示す場合と同様、広告パネル２０と組み合わせたり、この物品陳列台をカバー２１で覆ったりすることができる。また、陳列スペースに応じて、組み合わせるブロック体１０の数を調節して、陳列面を広くしたり狭くしたりすることができる。
【００３９】
また、陳列スペースに応じて、例えば図７に示すように、陳列面が略部分円形になる部分と台形もしくは平行四辺形になる部分とで構成された物品陳列台をつくることもできる。
【００４０】
図８は、本発明に用いられるブロック体の他の例を示している。このブロック体３０は、前記ブロック体１０と同様、複数を組み合わせて物品陳列台を構成するものであり、各ブロック体３０が、段ボールもしくは厚紙を用いて形成されている。そして、各面を構成する複数のパーツを貼り合わせたものであっても、一枚に展開されたシート状体を折り立てて貼り合わせたものであってもよい。
【００４１】
上記ブロック体３０は、全体が四角柱状で、正確には、その平面視形状が、頂角θが１０〜４５°の二等辺三角形の頂角部（仮想線で示す）を、底辺と平行な直線で切り取った等脚台形になっている。そして、上記頂角θの角度は、この例では２０°に設定されており、等脚台形の高さＨ′は２０ｃｍに設定されている。また、ブロック体３０自体の高さＤ′は、１５ｃｍに設定されている。
【００４２】
なお、上記等脚台形の高さＨ′は、上記の値に限らず、前記ブロック体１０のＨの場合と同様の理由から、１０〜１００ｃｍに設定することが好適である。また、同じくブロック体３０自体の高さＤ′は、５〜５０ｃｍに設定することが好適である。
【００４３】
上記ブロック体３０を、例えば９個用い、図９に示すように、それぞれの上辺部を同じ向きに揃え、左右の等脚部の側面を互いに当接させた状態で並べることによって、その陳列面が略半リング形状の物品陳列台をつくることができる。この物品陳列台も、前記の例と同様、端面が略円弧状にカーブしているため、角張った陳列棚や陳列台が多く配置された店内において、優しい印象を与えることができる。そして、陳列面の内側に半円状の空間部３１を有するため、この空間部３１に、実際の商品を大きく拡大した商品模型や意図的にデフォルメした模型、あるいは人目を引くキャラクターのぬいぐるみを置く等して、より印象的な陳列構成をデザインすることができる。
【００４４】
また、図１０（ａ）に示すように、１８個のブロック体３０を組み合わせて、陳列面が略リング形状の物品陳列台をつくることができる。この場合も、中央の円形の空間部３２に、拡大商品模型やぬいぐるみ等、アイキャッチ効果の高い物品を配置して、より印象的な陳列構成をデザインすることができる。
【００４５】
また、上記ブロック体３０を、例えば、図９に示す場合と同じく９個用い、それぞれの上辺部を互い違いの向きにして、等脚部の側面を互いに当接させた状態で並べることによって、図１０（ｂ）に示すように、その陳列面が台形状の物品陳列台をつくることができる。この場合も、上記ブロック体１０を用いた場合と同様、ブロック体３０を偶数個並べると、陳列面が台形ではなく、平行四辺形の物品陳列台をつくることができる。
【００４６】
もちろん、これらブロック体３０を用いた物品陳列台においても、前記ブロック体１０を用いた物品陳列台〔図４（ｂ）参照〕と同様、その後ろに、商品の説明やキャンペーンのキャッチフレーズを表示した広告パネル２０を立てて取り付けたり、物品陳列台を柔軟なカバー２１〔図４（ｂ）参照〕で覆ったりして、より一層アイキャッチ効果を高めることができる。
【００４７】
さらに、前記ブロック体１０を用いた例（図５を参照）と同様、陳列面が略部分リング形状になるようブロック体３０を並べた物品陳列台を互い違いに連続して並べたり、陳列面が略部分リング形状となるようにブロック体３０を並べたものと、陳列面が台形もしくは平行四辺形になるようにブロック体３０を並べたものとを組み合わせて並べることによって、陳列面積の広い、より印象的な物品陳列台をつくることができる。
【００４８】
なお、本発明において、上記ブロック体１０、３０は、どの面も同一の色であってもよいし、例えば陳列面となる上面、あるいは上面と表に見える端面とを、陳列イメージに合わせた色（図柄がついたものを含む）に着色したものであってもよい。その場合、上面と下面とを同一の色にしておくと、上下を区別する必要がないため、物品陳列台を組み立てる作業が容易となり、好ましい。
【００４９】
また、ブロック体１０、３０を略半分ずつに分けて、一方の群のブロック体１０、３０の上面、下面の色と、他方の群のブロック体の上面、下面の色とを、互いに異なる色にすると、色の異なるブロック体を互い違いに並べたり、例えば赤、赤、黄、赤、赤、黄といったように規則的に並べることにより、より印象的な陳列構成をデザインすることができる。
【００５０】
さらに、並べるときに上下の区別が必要であるが、ブロック体１０、３０の上面と下面とを異なる色に着色しておけば、上下の配置を変えて並べることによって、陳列面の色を部分的に変えることができ、印象的なデザインの陳列面をつくることができる。
【産業上の利用可能性】
【００５１】
本発明は、複数のブロック体を組み合わせて構成された物品陳列台に利用することができる。
【符号の説明】
【００５２】
１０  ブロック体
【図１】
2014104038.tif 000003
【図２】
2014104038.tif 000004
【図３】
2014104038.tif 000005
【図４】
2014104038.tif 000006
【図５】
2014104038.tif 000007
【図６】
2014104038.tif 000008
【図７】
2014104038.tif 000009
【図８】
2014104038.tif 000010
【図９】
2014104038.tif 000011
【図１０】
2014104038.tif 000012
【図１１】
2014104038.tif 000013